(57)【要約】【課題】階段式に構成した葬祭用祭壇装置において、祭壇の様式を迅速に変更できるようにすること【解決手段】上段の祭壇を他段の祭壇とは別体に形成し、その祭壇上に異なるデザイン様式を背中合わせに表した装飾装置を配置すると共に、祭壇下部に移動用脚輪を取り付けた【選択図】図２
2009213594.tif 000002
【特許請求の範囲】
【請求項１】
階段式に構成した葬祭用祭壇装置において、上段の祭壇を他段の祭壇とは別体に形成し、その祭壇上に異なるデザイン様式を背中合わせに表した装飾装置を配置すると共に、祭壇下部に移動用脚輪を取り付けた葬祭用祭壇装置。
【請求項２】
上段の祭壇を中央部と左右の袖部とに分割して別体に形成した請求項１に記載の葬祭用祭壇装置。
【請求項３】
上段を除く祭壇の装飾パネル及び／又は天板を着脱容易に取り付けた請求項１又は２に記載の葬祭用祭壇装置。
【請求項４】
上段を除く祭壇を左右方向で複数に分割して別体に形成した請求項３に記載の葬祭用祭壇装置。
【請求項５】
祭壇の内側を備品の収納庫とした請求項１、２、３又は４に記載の葬祭用祭壇装置。
【発明の詳細な説明】
【技術分野】
【０００１】
本発明は、階段式に構成した葬祭用祭壇装置に関するものである。
【背景技術】
【０００２】
この種の装置は、葬儀場などにおいて盛用されていて、例えば特許文献１、２に開示されたものが知られている。
これら公知の装置においては仏式の葬儀を例に挙げ、多段に構成した祭壇に、題目を表した本尊、位牌、遺骨、遺影、行燈、お供え物、献花などを、各宗派のしきたりに適合させて祭壇上に配置している。
【０００３】
しかしながら、葬儀は、佛教式、神道式、無宗教式、友人葬式、家族葬式などによって異なる祭壇様式が用いられているし、各宗教においても宗派によって祭壇様式が相違し、本尊の有無、位牌や遺骨の配置、線香や蝋燭立て、供養品、その他の飾り物においても異なったものとなっている。
近時、葬儀自体にも個性が前面に押し出され、伝統的で荘厳な様式を希望する者、大きな祭壇を好む者、宗教色のない祭壇を希望する者、或いは簡素な様式を好む者など、多様化が進んでいる。
また、映像による祭壇方式も提案されているが、心理的な抵抗感をもつ者も多い。
【０００４】
葬祭業者は祭壇の多様化に対応することが求められている。そのため、デザイン様式の異なる大掛かりな祭壇を複数組用意しておくことが余儀なくされ、葬祭会場には使用されない祭壇のための広い収納スペースを確保しておかなければならないのが現状である。
また、葬祭の実行に際して祭壇を取り替えようとすると、祭壇それ自体が大掛かりな装置となっているから、迅速な移動取替をするためにスペースや時間も必要となり、葬儀会場の利用効率が悪くなる不都合があった。
【特許文献１】特開平８−１７３３０９号公報
【特許文献２】実用新案登録第０４２９１９号公報
【発明の開示】
【発明が解決しようとする課題】
【０００５】
本発明は、階段式に構成した葬祭用祭壇装置において、祭壇の様式を迅速に変更できるようにすることを課題としたものである。
【課題を解決するための手段】
【０００６】
この技術的課題を解決するための第一の技術的手段は、（イ）上段の祭壇を他段の祭壇とは別体に形成し、（ロ）その祭壇上に異なるデザイン様式を背中合わせに表した装飾装置を配置し、（ハ）その祭壇下部に移動用脚輪を取り付けたことである。
第二の技術的手段は、この装置において、上段の祭壇を中央部と左右の袖部とに分割して別体に形成したことである。
また、第三の技術的手段は、上記の装置において、上段を除く祭壇の装飾パネル及び／又は天板を着脱容易に取り付けたことである。
第四の技術的手段は、上記の装置において、上段を除く祭壇を左右方向で複数に分割して別体に形成したことである。
さらに、第五の技術的手段は、上記の祭壇の内側を備品の収納庫としたことである。
【０００７】
第一の技術的手段において、上段の祭壇上には、異なるデザイン様式を背中合わせに表した装飾装置が配置されているから、装飾装置の表裏いずれかのデザイン様式を選択して葬儀に使用することができる。
この装飾装置は、異なる宗教、宗派、無宗教など、利用頻度を勘案してデザイン様式及び組合せを設計することになる。
上段の祭壇は、他段の祭壇とは別体に形成されていて、その底部には移動用脚輪が取り付けられているから、上段の祭壇は、その場で水平方向に回動させ或いは移動させることができる。
したがって、上段の祭壇は、装飾装置の表裏いずれの面のデザインを選択しても、基台を水平方向に回動させることによって迅速且つ容易にそれを祭壇の正面に据えることができる。
【０００８】
第二の技術的手段においては、上段の祭壇が中央部と左右の袖部とに分割して別体に形成されていて、分割単位ごとに回動させられるから、祭壇の表裏の様式の変更をより小さいスペースを利用して迅速に行うことができる。
上段の祭壇の回動作業においては、中央部をその場で回動させ、左右の袖部を回動させると共に左右の位置を入れ替えることによって、祭壇全体のデザインを変更することができる。
この場合、祭壇中央部と左右の袖部とを連結する固定具を付設し、或いは祭壇の脚輪をストッパー付きのものにするなど、三者が一体の状態を保てるようにしておくことが望ましい。
【０００９】
第三の技術的手段においては、上段を除く祭壇の装飾パネル及び／又は天板が着脱容易に取り付けられているから、変更された上段の祭壇のデザイン様式に適合するように装飾パネルや天板を取り替える作業を容易に行うことができる。
この取替は、パネルや天板を別体のものと交換し、或いは裏返して再び取り付ける方法を採用することができる。
したがって、上段の装飾装置のデザインや色彩と統一ないし調和させた祭壇を造営することができる。
【００１０】
第四の技術的手段は、上段を除く祭壇が左右方向で複数に分割されて別体となっているから、分割した単位祭壇ごとにその位置の調整を行うことができ、祭壇のデザイン変更の作業性を高めることができる。分割数は、祭壇全体の幅やデザイン様式を勘案して設計すれば良い。
この場合も、祭壇中央部と左右の袖部とを連結する固定具を付設し、或いは祭壇の脚輪をストッパー付きのものにしておくことが望ましい。
【００１１】
第五の技術的手段においては、上記祭壇の内側が備品の収納庫となっているから、選択された表側のデザインに適合しない装飾品や備品を収納するスペースを他に用意する必要はなく、祭壇の下に収納しておくことができる。
【発明の効果】
【００１２】
祭壇の様式を迅速に変更できる結果、選択されたデザインの装飾装置を表側にして、祭壇を効率良く設営することができる。
また、選択されなかったデザインの装飾は、祭壇の裏側に隠されて表面に現れないため、これを片付けておくスペースを別に設けておく必要はない。
【発明を実施するための最良の形態】
【００１３】
図１は、本発明に係る葬儀用祭壇装置の正面図であり、宗教色のない洋風デザインの祭壇１となっている。図２は、この装置の右側面図である。
祭壇１は、四段構成のものであって、下段２と上段５とを別体に形成し、第二段３と第三段４の中間段６を一体に形成している。いずれの段２、５、６も、中央部分ａと左右の袖部分ｂ、ｃとを独立させてあって、上段５と中間段６の下部には移動用の脚輪７、７を取り付けている。なお、この実施形態では、下段２の重量を重くしていないため、これには移動用の脚輪を取り付けていない。
【００１４】
上段２の装飾装置の正面（表面側）は、宗教色のない洋風デザインの装置１Ａとなっているが、その背面（裏面側）は仏式デザインの装置１Ｂが配置されていて、両者を背中合わせにして一体とした装飾装置となっている。
【００１５】
本実施の形態では、中間段６の装飾パネル１２、１２及び天板１３、１３は、その交換を可能にするために、図示しない枠フレームに着脱容易に取り付けられている。
装飾パネル１２及び天板１３の表面は、祭壇１Ａと色調を一致させ、裏面は祭壇１Ｂと色調と一致させたものとしている。したがって、この実施形態では、これらを裏返しすることによって表裏の祭壇１Ａ、１Ｂのデザイン及び色調に適合させられるようにしている。
【００１６】
下段２の正面（表面側）には、宗教色のない祭壇１Ａに適合させたデザインを施し、背面（裏面側）には仏式の祭壇１Ｂに適合させたデザインを施している。
【００１７】
図２は、祭壇１を仏式のデザインに変更させたものである。図１の状態から図２の状態への変更は、本実施形態の場合、次の手順によって行なわれる。
上段の中央部５ａを回動させ、上段の左右の袖部５ｂ、５ｃを回動させると共にその左右の位置を入れ替えることによって、上段５を仏式デザイン１Ｂに変更することができる。
次に、中間段６の装飾パネル１２及び天板１３を外してそれぞれ裏返し、その状態で再び元の位置に固定する。
最後に、下段の中央部２ａ及び下段の左右の袖部２ｂ、２ｃを、それぞれその場で回動させて裏面側を正面に据えることによって、祭壇全体を仏式に変更することができる。
【図面の簡単な説明】
【００１８】
【図１】宗教色のない洋風デザインの祭壇の正面図
【図２】祭壇の右側面図
【図３】祭壇を回動させて表した仏式デザインの祭壇の正面図
【符号の説明】
【００１９】
１祭壇、  １Ａ洋風デザインの祭壇、  １Ｂ仏式デザインの祭壇、  ２祭壇の下段、  ３祭壇の第二段、  ４祭壇の第三段、  ５祭壇の上段、  ６第二、三段を一体とした中間段、  ７移動用脚輪、  ａ祭壇の中央部、  ｂ、ｃ祭壇の左右の袖部
【図１】
2009213594.tif 000003
【図２】
2009213594.tif 000004
【図３】
2009213594.tif 000005